(57)【要約】  モバイル端末機及びその製造方法が開示される。本発明のモバイル端末機は、板面にサイドキー貫通口が形成されたサイドキー装着部が設けられる背面ケースと、サイドキー装着部のサイドキー貫通口の縁部に沿って内側面に設けられる防水テープと、防水テープと結合されるサイドキーユニットと、を含むことを特徴とする。本発明によれば、防水機能に優れ、製作及び組み立てが容易なモバイル端末機及びその製造方法が提供される。
2013541265.tif 000002
【特許請求の範囲】
【請求項１】
板面にサイドキー貫通口が貫設されたサイドキー装着部が設けられる背面ケースと、
前記サイドキー装着部の前記サイドキー貫通口の縁部に沿って内側面に設けられる防水テープと、
前記防水テープと結合されるサイドキーユニットと、
を含むことを特徴とするモバイル端末機。
【請求項２】
前記サイドキーユニットは、
前記防水テープと結合し、ユーザ入力を行うボタンユニットと、
前記ボタンユニットと隣接して設けられ、ボタンユニットから入力された信号をメインＰＣＢに伝達するサイドキーＰＣＢと、
前記サイドキーＰＣＢと結合され、前記サイドキー装着部に結合されて、前記ボタンユニットを支持するサイドキーブラケットと、
を含むことを特徴とする請求項１に記載のモバイル端末機。
【請求項３】
前記ボタンユニットは、
前記サイドキー貫通口を通じて外側に突出するサイドボタンと、
前記サイドボタンと結合され、前記サイドボタンと結合された縁部に沿って前記防水テープと結合されるサイドキーラバーと、
を含むことを特徴とする請求項２に記載のモバイル端末機。
【請求項４】
前記サイドキーラバーは、
前記防水テープと結合するラバー本体部と、
前記ラバー本体部の中央部にユーザ入力を伝達する炭素接点が設けられたラバー入力部と、
を含むことを特徴とする請求項３に記載のモバイル端末機。
【請求項５】
前記ラバー入力部は、前記ラバー本体部の中央部に凹状のドーム状に設けられることを特徴とする請求項４に記載のモバイル端末機。
【請求項６】
前記サイドキーラバーは、弾性材からなることを特徴とする請求項５に記載のモバイル端末機。
【請求項７】
前記サイドキーラバーは、表面を通じて水分や異物の浸透を防止するように一体に成形されることを特徴とする請求項３に記載のモバイル端末機。
【請求項８】
前記サイドキーＰＣＢは、
前記ボタンユニットの接触で信号を入力される入力基板部と、
前記入力基板部に結合され、少なくとも一部が弾性加圧された状態で前記メインＰＣＢと電気的に連結されて、入力された信号を前記メインＰＣＢに伝達する接続端子部と、
を含むことを特徴とする請求項２に記載のモバイル端末機。
【請求項９】
前記接続端子部は、複数のポゴピン（Ｐｏｇｏ  Ｐｉｎ）を含み、
前記ポゴピンが、前記メインＰＣＢと電気的に連結されることを特徴とする請求項８に記載のモバイル端末機。
【請求項１０】
前記サイドキーブラケットは、
前記サイドキーＰＣＢと結合され、前記ボタンユニットを安定して固定し、支持するブラケット本体部と、
前記ブラケット本体部に両側面に段付けられるように延設され、前記背面ケースと上下方向に摺動結合されるブラケット羽根部と、
前記ブラケット本体部の下部に地面と平行に突設され、板面に貫通孔が形成されて、前記背面ケースと結合されるブラケット結合部と、
を含むことを特徴とする請求項２に記載のモバイル端末機。
【請求項１１】
前記ブラケット結合部は、前記背面ケースと螺合されることを特徴とする請求項１０に記載のモバイル端末機。
【請求項１２】
前記背面ケースは、
前記サイドキー装着部の両側面に設けられて、前記ブラケット羽根部が上下方向に摺動結合される摺動結合部と、
前記サイドキー装着部の下部に隣接して設けられて、前記ブラケット結合部が結合されるように結合孔が形成される螺合部と、
を含むことを特徴とする請求項１０に記載のモバイル端末機。
【請求項１３】
前記防水テープは、ゴム材にも付着される接着テープであることを特徴とする請求項１に記載のモバイル端末機。
【請求項１４】
サイドキー装着部が備えられた背面ケースを設ける段階と、
サイドキーラバーを一体に形成して設ける段階と、
前記サイドキーラバーにサイドボタンを合着する段階と、
前記背面ケースのサイドキー貫通口の縁部に沿って内側面に防水テープを付着する段階と、
前記防水テープに前記サイドキーラバーを付着する段階と、
サイドキーＰＣＢとサイドキーブラケットとを付着する段階と、
前記サイドキーＰＣＢが付着された前記サイドキーブラケットを前記背面ケースの摺動結合部に結合させる段階と、
前記サイドキーブラケットを前記背面ケースの螺合部に結合させる段階と、
を含むことを特徴とするモバイル端末機の製造方法。
【請求項１５】
前記サイドキーラバーを一体に形成して設ける段階は、
前記サイドキーラバーを弾性がある材質を射出成形して設けることを特徴とする請求項１４に記載のモバイル端末機。
【発明の詳細な説明】
【技術分野】
【０００１】
本発明は、モバイル端末機及びその製造方法に係り、より詳細には、製作及び組み立てが容易であり、防水能に優れるサイドキー構造を備えたモバイル端末機及びその製造方法に関する。
【背景技術】
【０００２】
モバイル端末機（Ｍｏｂｉｌｅ  Ｔｅｒｍｉｎａｌ）は、場所に関係なく、移動しながら自在に使える端末機であって、携帯電話のような移動通信端末機、そして、個人携帯端末機と呼ばれるＰＤＡ（Ｐｅｒｓｏｎａｌ  Ｄｉｇｉｔａｌ  Ａｓｓｉｓｔａｎｔ）などが代表的である。したがって、ここで使われる‘モバイル端末機’という用語は、これらをいずれも含む用語であるが、以下、説明の便宜上、ＰＤＡに限定して説明する。
【０００３】
ＰＤＡは、ポケット用コンピュータとも呼ばれるが、個人用や業務用として計算や情報保存及び検索機能を備えた手の平サイズの小型装置を総称する用語であって、度々スケジュールカレンダー及び住所録の情報などの保持に多く使われる。
【０００４】
特に、現在、物流産業を中心に産業用個人携帯端末機（ＰＤＡ）が多く使われており、その市場が次第に拡大しつつある実情である。産業用ＰＤＡは、一般ＰＤＡにはないバーコードスキャナー、カード決済機など多様な事務用機能を備えたＰＤＡであって、産業用ＰＤＡを使えば、配送や資料管理、そして、関連業務などを効率的に進行させうる長所がある。例えば、保険会社においては、顧客情報管理、顧客検索、日程管理、相談日誌管理、記念日検索、資金計算書の処理などの各種の保険関連業務を保険設計士が産業用ＰＤＡを用いて現場で直接処理し、次いで、病院においては、患者の診療記録と病歴、処方はもとより、Ｘ線などの映像イメージとグラフィック資料までも時間と場所との制限なしに、医療陣が携帯した産業用ＰＤＡに入力するか、検索し、また、警察の業務においては、交通、防犯警察の外勤取締業務を産業用ＰＤＡを通じて実施して、現在取り締まり後、２〜３日が経ると納めることができる交通法規違反の反則金を直ちに金融機関に納めることができるようにして、交通、防犯警察の外勤取締業務時間を画期的に短縮させうる。
【０００５】
産業用ＰＤＡは、前述した多様な産業分野で使われていることでも分かるように、一般ＰＤＡと異なって、一般的な環境ではない産業用環境で耐えることができる一定レベル以上の要求事項を備えなければならない。すなわち、産業用ＰＤＡは、一般ＰＤＡと異なって、零下１０℃以下の冷凍倉庫で使う時もあり、また野外でも長期間使われうるということは当然予測され、集配人のようなユーザが業務上むやみに扱うこともできるために、一定レベル以上の耐衝撃性、防水、耐熱／冷機能などを備えると製品として競争力を有するようになる。このように、産業用ＰＤＡは、一般ＰＤＡよりさらに堅固かつ堅く作られなければならないことはもとより、特に、雪や雨に耐えるように防水機能を有していなければならないことは、製品が有さなければならない必須的な事項である。
【０００６】
このような産業用ＰＤＡの防水機能において、構造上防水に脆弱であり、重要な部分の１つがユーザの便宜のために提供されるサイドキーである。サイドキーは、モバイル端末機の側面に付着されて、ユーザ選択情報信号をメインＰＣＢ（Ｐｒｉｎｔｅｄ  Ｃｉｒｃｕｉｔ  Ｂｏａｒｄ、印刷回路基板）に伝達する役割を果たす構成品である。
【０００７】
したがって、モバイル端末機のうち、特に、産業用ＰＤＡの場合に、防水機能に優れ、製作及び組み立てが容易なサイドキー構造を備えた製品の開発が必要である。
【発明の概要】
【発明が解決しようとする課題】
【０００８】
本発明の目的は、防水機能に優れ、製作及び組み立てが容易なモバイル端末機及びその製造方法を提供することである。
【課題を解決するための手段】
【０００９】
前記の目的は、本発明によって、板面にサイドキー貫通口が貫設されたサイドキー装着部が設けられる背面ケースと、前記サイドキー装着部の前記サイドキー貫通口の縁部に沿って内側面に設けられる防水テープと、前記防水テープと結合されるサイドキーユニットと、を含むことを特徴とするモバイル端末機によって達成される。
【００１０】
ここで、前記サイドキーユニットは、前記防水テープと結合し、ユーザ入力を行うボタンユニットと、前記ボタンユニットと隣接して設けられ、ボタンユニットから入力された信号をメインＰＣＢに伝達するサイドキーＰＣＢと、前記サイドキーＰＣＢと結合され、前記サイドキー装着部に結合されて、前記ボタンユニットを支持するサイドキーブラケットと、を含みうる。
【００１１】
前記ボタンユニットは、前記サイドキー貫通口を通じて外側に突出するサイドボタンと、前記サイドボタンと結合され、前記サイドボタンと結合された縁部に沿って前記防水テープと結合されるサイドキーラバーと、を含みうる。
【００１２】
前記サイドキーラバーは、前記防水テープと結合するラバー本体部と、前記ラバー本体部の中央部にユーザ入力を伝達する炭素接点が設けられたラバー入力部と、を含みうる。
【００１３】
前記ラバー入力部は、前記ラバー本体部の中央部に凹状のドーム状に設けられうる。
【００１４】
前記サイドキーラバーは、弾性材からなる。
【００１５】
前記サイドキーラバーは、表面を通じて水分や異物の浸透を防止するように一体に成形されうる。
【００１６】
前記サイドキーＰＣＢは、前記ボタンユニットの接触で信号を入力される入力基板部と、前記入力基板部に結合され、少なくとも一部が弾性加圧された状態で前記メインＰＣＢと電気的に連結されて、入力された信号を前記メインＰＣＢに伝達する接続端子部と、を含みうる。
【００１７】
前記接続端子部は、複数のポゴピン（Ｐｏｇｏ  Ｐｉｎ）を含み、前記ポゴピンが、前記メインＰＣＢと電気的に連結されうる。
【００１８】
前記サイドキーブラケットは、前記サイドキーＰＣＢと結合され、前記ボタンユニットを安定して固定し、支持するブラケット本体部と、前記ブラケット本体部に両側面に段付けられるように延設され、前記背面ケースと上下方向に摺動結合されるブラケット羽根部と、前記ブラケット本体部の下部に地面と平行に突設され、板面に貫通孔が形成されて、前記背面ケースと結合されるブラケット結合部と、を含みうる。
【００１９】
前記ブラケット結合部は、前記背面ケースと螺合されることもある。
【００２０】
前記背面ケースは、前記サイドキー装着部の両側面に設けられて、前記ブラケット羽根部が上下方向に摺動結合される摺動結合部と、前記サイドキー装着部の下部に隣接して設けられて、前記ブラケット結合部が結合されるように結合孔が形成される螺合部と、を含みうる。
【００２１】
前記防水テープは、ゴム材にも付着される接着テープであり得る。
【００２２】
前記の目的は、本発明によって、サイドキー装着部が備えられた背面ケースを設ける段階と、サイドキーラバーを一体に形成して設ける段階と、前記サイドキーラバーにサイドボタンを合着する段階と、前記背面ケースのサイドキー貫通口の縁部に沿って内側面に防水テープを付着する段階と、前記防水テープに前記サイドキーラバーを付着する段階と、サイドキーＰＣＢとサイドキーブラケットとを付着する段階と、前記サイドキーＰＣＢが付着された前記サイドキーブラケットを前記背面ケースの摺動結合部に結合させる段階と、前記サイドキーブラケットを前記背面ケースの螺合部に結合させる段階と、を含むことを特徴とするモバイル端末機の製造方法によっても達成される。
【００２３】
前記サイドキーラバーを一体に形成して設ける段階は、前記サイドキーラバーを弾性がある材質を射出成形して設けることができる。
【発明の効果】
【００２４】
本発明によれば、防水機能に優れ、製作及び組み立てが容易なモバイル端末機及びその製造方法が提供される。
【図面の簡単な説明】
【００２５】
【図１】本発明の一実施形態によるモバイル端末機の斜視図である。
【図２】図１の前面ケースを除去した斜視図である。
【図３】図２の平面図である。
【図４】図３のサイドキー部分の斜視図である。
【図５】図４のサイドキー構造の分解斜視図である。
【図６】図５の他の角度から見た分解斜視図である。
【図７】図５のサイドキーラバーとサイドキーＰＣとが結合された斜視図である。
【図８】図１の‘Ａ−Ａ’による断面図である。
【図９】図８の側面拡大斜視図である。
【図１０】本発明の一実施形態によるモバイル端末機の製造方法のフローチャートである。
【発明を実施するための形態】
【００２６】
本発明と本発明の動作上の利点及び本発明の実施によって達成される目的を十分に理解するためには、本発明の望ましい実施形態を例示する添付図面及び添付図面に記載の内容を参照しなければならない。
【００２７】
以下、添付図面を参照して、本発明の望ましい実施形態を説明することによって、本発明を詳しく説明する。各図面に付された同じ参照符号は、同じ部材を表わす。
【００２８】
図１は、本発明の一実施形態によるモバイル端末機の斜視図であり、図２は、図１の前面ケースを除去した斜視図であり、図３は、図２の平面図であり、図４は、図３のサイドキー部分の斜視図であり、図５は、図４のサイドキー構造の分解斜視図であり、図６は、図５の他の角度から見た分解斜視図であり、図７は、図５のサイドキーラバーとサイドキーＰＣとが結合された斜視図であり、図８は、図１の‘Ａ−Ａ’による断面図であり、図９は、図８の側面拡大斜視図である。
【００２９】
これら図面に示したように、本発明の一実施形態によるモバイル端末機１は、板面にサイドキー貫通口１１１が形成されたサイドキー装着部１１０が設けられる背面ケース１００と、サイドキー装着部１１０のサイドキー貫通口１１１の縁部に沿って内側面に設けられる防水テープ２００と、防水テープ２００と結合されるサイドキーユニット３００とを含む。
【００３０】
背面ケース１００は、モバイル端末機１の外形を形成する構成品であって、前面ケース１５０との間に内部構成品が収容される空間を置いて結合する。サイドキーユニット３００は、モバイル端末機１の側面にユーザ信号を入力されるように設けられる構成品であって、モバイル端末機１のメニュー選択、バーコード入力などのユーザ信号をモバイル端末機１のメインＰＣＢ１０に伝達する。このようなサイドキーユニット３００が、モバイル端末機１に結合される場合、その結合部位に隙間が発生して、端末機の内部に異物や水分が侵透する恐れがある。特に、産業用ＰＤＡの場合には、防水性と耐久性とがさらに要求されるので、組み立ての便利性と防水効果とのために、サイドキーユニット３００の背面ケース１００に結合される時、本実施形態による構造を適用する場合、製作及び組み立ての便利性と防水能との優秀性を同時に追い求めることができる。防水テープ２００とサイドキーユニット３００との結合構造は、後述する。
【００３１】
図５及び図６を参照して説明すれば、サイドキーユニット３００は、防水テープ２００と結合し、ユーザ入力を行うボタンユニット３１０と、ボタンユニット３１０と隣接して設けられ、ボタンユニット３１０から入力された信号をメインＰＣＢ１０に伝達するサイドキーＰＣＢ３２０と、サイドキーＰＣＢ３２０と結合され、サイドキー装着部１１０に結合されて、ボタンユニット３１０を支持するサイドキーブラケット３３０とを含む。
【００３２】
図５ないし図７を参照すると、ボタンユニット３１０は、ユーザがサイドキーユニット３００を通じるユーザ入力時に、押圧動作が行われる部分であって、サイドキー貫通口１１１を通じて外側に突出するサイドボタン３１１と、サイドボタン３１１と結合され、サイドボタン３１１と結合された縁部に沿って防水テープ２００と結合されるサイドキーラバー３１２とを含む。
【００３３】
サイドボタン３１１は、ユーザ入力時に、直接接触する部分であって、背面ケース１００のサイドキー貫通口１１１を通じてモバイル端末機１の外部に突出する。サイドボタン３１１は、モバイル端末機１の外部に突出する突出部の下部に背面ケース１００のサイドキー貫通口１１１よりも大きく離脱防止部が形成されて、サイドボタン３１１がサイドキー貫通口１１１を通じてモバイル端末機１の外側への離脱を防止する。
【００３４】
サイドボタン３１１は、プラスチック射出成形で製作され、本実施形態では、ポリカーボネート（ＰＣ、Ｐｏｌｙｃａｒｂｏｎａｔｅ）で成形されたが、これと類似した他のプラスチック材で成形されることもできる。
【００３５】
サイドキーラバー３１２は、防水テープ２００と結合するラバー本体部３１２ａと、ラバー本体部３１２ａの中央部にユーザ入力を伝達する炭素接点３１２ｃが設けられたラバー入力部３１２ｂとを含む。
ラバー本体部３１２ａは、サイドボタン３１１を収容できるように、サイドボタン３１１よりも大きく設けられ、サイドボタン３１１の形状に製作される。ラバー本体部３１２ａの縁部には、サイドボタン３１１を収容するようにラバー本体部３１２ａの厚さ方向にフレームが形成されており、フレームの内側の空間にサイドボタン３１１が収容される。また、ラバー本体部３１２ａのフレームの端部は、防水テープ２００と結合される。
ラバー入力部３１２ｂは、ラバー本体部３１２ａの中央部に凹状のドーム状に設けられる。図５ないし図９を参照して説明すれば、ラバー入力部３１２ｂのモバイル端末機１の外側方向には、サイドボタン３１１が合着されて、サイドボタン３１１が動作する場合、ラバー入力部３１２ｂが一体に動作し、モバイル端末機１の内側方向の表面には、サイドキーＰＣＢ３２０に信号を伝達する炭素接点３１２ｃが設けられる。すなわち、サイドボタン３１１を押圧動作する場合、サイドボタン３１１と一体に結合されたラバー入力部３１２ｂが共に動作して、ラバー入力部３１２ｂのサイドキーＰＣＢ３２０の方向に設けられた炭素接点３１２ｃが、サイドキーＰＣＢ３２０と接触することによって、ユーザ入力をサイドキーＰＣＢ３２０に伝達する。
【００３６】
このようなサイドキーラバー３１２は、弾性材からなる。弾性材からなることによって、前述したように、サイドボタン３１１を通じてラバー入力部３１２ｂが押圧動作した後、サイドボタン３１１に加えられた圧力を除去する場合に、弾性復元力によってラバー入力部３１２ｂ及びサイドボタン３１１が原位置して反復的にユーザ信号を入力することができる。図７及び図８を参照して説明すれば、サイドキーラバー３１２のラバー入力部３１２ｂの断面の形状は、サイドボタン部３１１の方向に狭まるように傾斜して形成されることによって、サイドボタン３１１によってラバー入力部３１２ｂが押圧動作した後、圧力除去時に、弾性復元力によってラバー入力部３１２ｂが原位置される。
【００３７】
また、サイドキーラバー３１２は、サイドキーラバー３１２の表面に隙間が発生して、水分や異物が通過できないように一体に成形される。サイドキーラバー３１２のラバー本体部３１２ａのフレームの端部は、防水テープ２００に付着され、したがって、サイドキーラバー３１２と防水テープ２００との間は、異物や水分が侵透できないように構成される。したがって、サイドキーラバー３１２の表面を通じて内部に異物や水分の侵透を防止するために、サイドキーラバー３１２を一体に成形することによって、サイドキーラバー３１２の表面に隙間が生じることを防止する。このようなサイドキーラバー３１２と防水テープ２００とが結合されることによって、モバイル端末機１のサイドキーユニット３００の防水能を向上させることができる。
【００３８】
防水テープ２００は、ゴム材にも安定して付着されるように、特殊製作されたテープを使うことによって、防水効果を向上させる。
図４ないし図６を参照して説明すれば、サイドキーＰＣＢ３２０は、ボタンユニット３１０の接触で信号を入力される入力基板部３２１と、メインＰＣＢ１０と連結されて、入力された信号をメインＰＣＢ１０に伝達する接続端子部３２２とを含む。
入力基板部３２１は、サイドキーラバー３１２と類似した形状の板面からなり、入力基板部３２１の中央部には、接点スイッチがプリントされる。ボタンユニット３１０が押圧動作して、サイドキーラバー３１２に設けられた炭素接点３１２ｃが入力基板部３２１の接点スイッチに接触されれば、接点スイッチ上に電流が流れながらサイドキーユニット３００の入力を認識する。
【００３９】
接続端子部３２２は、入力基板部３２１の背面の上部に設けられて、メインＰＣＢ１０と電気的に連結され、入力基板部３２１によって認識された電流信号をメインＰＣＢ１０に伝達して、サイドキーユニット３００の入力をメインＰＣＢ１０で認識させる。
このような接続端子部３２２は、メインＰＣＢ１０に弾性加圧された状態で電気的に連結される複数のポゴピン３２２ａを含む。
【００４０】
図４ないし図６を参照して説明すれば、サイドキーブラケット３３０は、サイドキーＰＣＢ３２０と結合され、ボタンユニット３１０を安定して固定し、支持するブラケット本体部３３１と、ブラケット本体部３３１に両側面に段付けられるように延設され、背面ケース１００と上下方向に摺動結合されるブラケット羽根部３３２と、ブラケット本体部３３１の下部に地面と平行に突設され、板面に貫通孔が形成されて、背面ケース１００と結合されるブラケット結合部３３３とを含む。
【００４１】
ブラケット本体部３３１は、サイドキーＰＣＢ３２０が収容されるように、サイドキーＰＣＢ３２０と類似した形状に設けられ、上面の中央にサイドキーＰＣＢ３２０の接続端子部３２２を収容できる溝が設けられる。ブラケット本体部３３１は、サイドキーＰＣＢ３２０と接着テープで付着される。
【００４２】
ブラケット羽根部３３２は、サイドキーＰＣＢ３２０と類似した形状に設けられたブラケット本体部３３１の両側面で段付けられるように延設される。ブラケット羽根部３３２は、背面ケース１００のサイドキー装着部１１０の両側面に設けられた摺動結合部１２０と上から下方向に摺動結合されて、簡便に組み立てることができる効果がある。
【００４３】
ブラケット結合部３３３は、ブラケット本体部３３１の下部に突設され、板面に貫通孔が形成され、貫通孔を通じて背面ケース１００に設けられた螺合部１３０に螺合される。
サイドキーブラケット３３０は、サイドキーユニット３００上のサイドキーＰＣＢ３２０とボタンユニット３１０とを支持して、サイドキーユニット３００を堅固に結合する。サイドキーブラケット３３０は、他の構成品を堅固に支持できるようにスチール材からなる。このようなサイドキーブラケット３３０の装着方法を説明すれば、まず、ブラケット本体部３３１にサイドキーＰＣＢ３２０を接着テープで結合させた後、ブラケット羽根部３３２によって背面ケース１００に摺動結合した後、ブラケット結合部３３３と背面ケース１００とを螺合することで組み立てられる。このようなサイドキーブラケット３３０によれば、組み立てと分解とが容易であって、工程が単純になり、サイドキーユニット３００の結合が堅固になる効果がある。
【００４４】
図２ないし図６を参照して説明すれば、背面ケース１００は、サイドキー装着部１１０の両側面に設けられて、ブラケット羽根部３３２が上下方向に摺動結合される摺動結合部１２０と、サイドキー装着部１１０の下部に隣接して設けられて、前記ブラケット結合部３３３が結合されるように、結合孔１３１が形成される螺合部１３０とを含む。
摺動結合部１２０は、２つの柱が空間を置いて平行に配される形状に設けられ、２つの柱の空間にブラケット羽根部３３２が摺動装着される。摺動結合部１２０は、サイドキー装着部１１０の両側面にブラケット羽根部３３２と対応してそれぞれ設けられる。
螺合部１３０は、サイドキーブラケット３３０が摺動結合部に装着される時、サイドキーブラケット３３０のブラケット結合部３３３に対応する位置に設けられ、螺合部１３０には、結合孔１３１が形成されて、ブラケット結合部３３３と螺合される。
このように、本実施形態によるモバイル端末機１によれば、防水機能に優れ、製作及び組み立てが容易な効果がある。
【００４５】
一方、以下、本発明の一実施形態によるモバイル端末機１の製造方法について説明する。
【００４６】
図１０は、本発明の一実施形態によるモバイル端末機の製造方法のフローチャートである。
【００４７】
図１０を参照して説明すれば、本発明の一実施形態によるモバイル端末機の製造方法は、サイドキー装着部が備えられた背面ケースを設ける段階（ステップＳ１００）と、サイドキーラバーを一体に形成して設ける段階（ステップＳ２００）と、サイドキーラバーにサイドボタンを合着する段階（ステップＳ３００）と、背面ケースのサイドキー貫通口の縁部に沿って内側面に防水テープを付着する段階（ステップＳ４００）と、防水テープにサイドキーラバーを付着する段階（ステップＳ５００）と、サイドキーＰＣＢとサイドキーブラケットとを付着する段階（ステップＳ６００）と、サイドキーＰＣＢが付着されたサイドキーブラケットを背面ケースの摺動結合部に結合させる段階（ステップＳ７００）と、サイドキーブラケットを背面ケースの螺合部に結合させる段階（ステップＳ８００）とを含む。
【００４８】
サイドキーラバーを一体に形成して設ける段階（ステップＳ２００）で、サイドキーラバー３１２は、弾性がある材質で射出成形して設ける。サイドキーラバー３１２が、弾性がある材質からなることによって、サイドキーユニット３００が押圧動作する場合、弾性復元力によってボタン部が反復動作することができる。
【００４９】
防水テープを付着する段階（ステップＳ４００）で、防水テープ２００は、ゴム材にも優れる接着力を有する特殊製作されたテープを使う。
本発明のモバイル端末機１の製造方法によれば、防水機能に優れ、製作及び組み立てが容易な効果がある。
【００５０】
本発明は、記載の実施形態に限定されるものではなく、本発明の思想及び範囲を外れずに多様に修正及び変形できるということは、当業者に自明である。したがって、そのような修正例または変形例は、本発明の特許請求の範囲に属すると言わなければならない。
【産業上の利用可能性】
【００５１】
本発明は、携帯電話のような移動通信端末機、ＰＤＡなどのモバイル端末機に利用されうる。
【図１】
2013541265.tif 000003
【図２】
2013541265.tif 000004
【図３】
2013541265.tif 000005
【図４】
2013541265.tif 000006
【図５】
2013541265.tif 000007
【図６】
2013541265.tif 000008
【図７】
2013541265.tif 000009
【図８】
2013541265.tif 000010
【図９】
2013541265.tif 000011
【図１０】
2013541265.tif 000012
【国際調査報告】
2013541265.tif 000013
2013541265.tif 000014
2013541265.tif 000015
2013541265.tif 000016